(57)【要約】【課題】歯科治療椅子に患者が仰向けに寝て歯科治療を受ける場合、患者が椅子に寝るときに、足が開いてしまう。特に、患者が女性の場合は気にするため、ブランケットをかける歯科医院が多い。【解決手段】患者Ｗが治療椅子１上に仰向けに寝たときに、足Ｆ（ＦR，ＦL）が載る位置に、踵Ｈが入る凹部（窪み）２０が設けられており、この凹部２０に患者Ｗの両足の踵Ｈが入るようになっている。この凹部２０の幅Ｌは、患者の両足ＦR，ＦLの踵Ｈが適度に入る幅であり、両踵が入らない幅より広く（最大幅）、両足を揃えて入れた時に自由に開くことができる幅より狭い（最小幅）幅となっている。このように、患者は、治療椅子１上に仰向けに寝る時に、両足を揃えて、両踵が凹（窪み）２０内に入るようにして寝ると、足が開くことなく治療を受けることができる。【選択図】図１
2005237530.tif 000002
【特許請求の範囲】
【請求項１】
患者を仰向けに寝かせることができ、かつ、その状態で傾斜動が可能な治療椅子において、フットレスト部に、両踵を揃えた状態で入れることのできる最小限かつ最大限の幅を有する凹部を有することを特徴とする治療椅子。
【請求項２】
前記凹部内の前方が中空に切り抜かれ、該切り抜かれた部分を通してスリッパの後端が挿通されることを特徴とする請求項１に記載の治療椅子。
【請求項３】
患者を仰向けに寝かせることができ、かつ、その状態で傾斜動が可能な治療椅子において、フットレスト部に、両踵を揃えた状態で入れることのできる最小限かつ最大限の幅を有する切り欠き穴を有することを特徴とする治療椅子。
【発明の詳細な説明】
【技術分野】
【０００１】
本発明は、治療椅子、具体的には、患者を仰向けに寝かせることができ、かつ、寝かせた状態で傾斜動可能な治療椅子、例えば、歯科治療椅子におけるフットレスト部の改良に関する。
【背景技術】
【０００２】
図４は、本発明が適用される歯科用治療椅子の一例を示す図で、図中、１は本発明が適用される治療椅子、２はワークテーブル、３はスピットン、４は無影灯、５はインスツルメントホルダー、６はフットスイッチ、７はアシスタント用インスツルメントホルダー、８はシャウカステン（フィルムビュアー）で、インスツルメントホルダー５には、歯科治療において使用する種々のインスツルメント９が収納されており、周知のように、歯科治療に当り、患者は椅子１に座り、頭を安頭台に固定して治療を受ける。治療中、術者は治療椅子１を上下動、倒起動、傾斜動等させて、患者を治療しやすい姿勢にして治療を行う。
【０００３】
図５は、上述のごとき治療椅子に患者Ｗが仰向けに寝て、歯科治療を受ける時の様子を説明するための要部概略図で、図示例の場合、治療椅子１は、安頭台１１、バックレスト１２、コンターシート１３等からなり、周知のように、バックレスト１２をコンターシート１３に対して倒した状態とし、この状態で、患者Ｗは治療椅子１上に仰向けに寝、この状態で、必要に応じて、治療椅子１全体を所望の角度に傾斜させて歯科治療を行う。
【発明の開示】
【発明が解決しようとする課題】
【０００４】
上述のごとき歯科治療椅子に患者が仰向けに寝て歯科治療を受ける場合、患者が椅子に寝るときに、足が開いてしまう問題がある。特に、患者が女性の場合は気にするため、ブランケットをかける歯科医院が多い。
【０００５】
本発明は、上述のごとき問題を解決するためになされたもので、特に、治療椅子のフットレスト部の形状を工夫し、患者が意識することなく、足を開いてしまうのを防止し、かつ、足の位置を気にかけることなく、よりリラックスして治療を受けることのできる治療椅子を提供することを目的としてなされたものである。
更には、スリッパを履いたままの状態で治療椅子に寝ても、スリッパが脱げてしまうことのない治療椅子を提供するものである。
【課題を解決するための手段】
【０００６】
請求項１の発明は、患者を仰向けに寝かせることができ、かつ、その状態で傾斜動が可能な治療椅子において、フットレスト部に、両踵を揃えた状態で入れることのできる最小限かつ最大限の幅を有する凹部を有することを特徴としたものである。
【０００７】
請求項２の発明は、請求項１の発明において、前記凹部内の前方が中空に切り抜かれ、該切り抜かれた部分を通してスリッパの後端が挿通されることを特徴としたものである。
【０００８】
請求項３の発明は、患者を仰向けに寝かせることができ、かつ、その状態で傾斜動が可能な治療椅子において、フットレスト部に、両踵を揃えた状態で入れることのできる最小限かつ最大限の幅を有する切り欠き穴を有することを特徴としたものである。
【発明の効果】
【０００９】
治療を受けるために、患者が治療椅子に仰向けに寝た時に無意識に足を開いてしまうのを防止することができ、かつ、足の位置を気にかけることなく、よりリラックスして治療を受けることができる。更には、スリッパを履いたままの状態で治療椅子に寝ても、スリッパが脱げてしまうこともない。
【発明を実施するための最良の形態】
【００１０】
仰向けに寝た状態で治療を受ける治療椅子において、フットレスト部（足を乗せる場所）に凹部（窪み）をつけることにより、両足の踵が窪みに収まり、足が極端に両側に開いてしまうのを防ぐことができるようにしたものである。通常、足が開かないようにするためには、常に意識を足に集中させ、筋肉の緊張状態が続くため、患者に負担がかかる。特に、女性の患者にとっては苦痛となる。
また、足が開いても気にならない患者にとっても、踵を収める場所があることにより、足の位置を気にせずに済むため、より楽に治療を受けることができる。
更には、スリッパを履いたまま、仰向けに寝て治療を受ける場合、フットレスト部のシート面でスリッパの後端が押されてスリッパが脱げてしまうケースがあるので、踵を収める窪みに、スリッパの後端を逃がす逃がし穴を設けることにより、スリッパの脱落を防止するようにしたものである。
【実施例１】
【００１１】
図１は、本発明による治療椅子１に患者Ｗが歯科治療を受けるために仰向けに寝ている時の状態を示す図で、図中、２０はコンターシート１３の先端部に設けられたフットレスト部の凹部（窪み）を示し、図１（Ａ）は、全体を上方から見た図、図１（Ｂ）はフットレスト部を斜め上方から見た斜視図、図１（Ｃ）はフットレスト部の断面図で、本発明においては、図１に示すように、コンターシート１３の先端部、換言すれば、患者Ｗが治療椅子１上に仰向けに寝たときに、足Ｆ（ＦR，ＦL）が載る位置に、踵Ｈが入る凹部（窪み）２０が設けられており、この凹部２０に患者Ｗの両足（右足ＦR，左足ＦL）の踵Ｈが入るようになっている。この凹部２０の幅Ｌは、患者の両足ＦR，ＦLの踵Ｈが適度に入る幅であり、両踵が入らない幅より広く（最大幅）、両足を揃えて入れた時に自由に開くことができる幅より狭い（最小幅）幅となっている。すなわち、図１（Ａ）に示すように、両足を揃えて（平行にして）仰向けに寝た時に、患者の両踵が入り、入った状態で、多少の自由度がある幅（この幅Ｌは、足の大きさに個人差があるので、足の大きい人でも多少の自由度（例えば、２〜３ｃｍ程度の動きができる程度の幅））が望ましい。このように、患者は、治療椅子１上に仰向けに寝る時に、両足を揃えて、両踵が凹（窪み）２０内に入るようにして寝ると、足が開くことなく治療を受けることができる。
【００１２】
図２は、本発明を他の形態の治療椅子、すなわち、コンターシート１３の先に、レッグレスト部１４、フットレスト部１５を備え、これらがバックレスト１２、コンターシート１３と連動して、起状態、寝状態等を形成し、寝状態にした状態で、図１に示した治療椅子１と同様にして治療を行う治療椅子に適用したものである。この場合には、フットレスト部１５は予め特定されているので、このフットレスト部１５に、前述のごとき踵を入れる凹部（窪み）２０を形成しておくことにより、図１に示した実施例と全く同様の作用効果を達成することができる。
【００１３】
図３は、本発明の他の実施例を説明するためのフットレスト部の構成図で、図３（Ａ）はフットレスト部に設けられた凹部（窪み）２０を上方から見た図、図３（Ｂ）は側断面図、図３（Ｃ）はスリッパ３０を履いた患者が該凹部２０に足（踵）を載せて寝た時の状態を示す図で、本実施例においては、凹部２０内の前方部分が切り抜かれて貫通穴２１が形成されており、スリッパ３０を履いた患者が該治療椅子に乗って、前述のように仰向け（上向き）に寝た時にスリッパ３０の後部３１が該貫通穴２１を通して通り抜けるようにして、スリッパ３０を脱落しないようにしたものである。
【００１４】
なお、図３には、凹部２０の前方略半分を切り欠き穴２１とした例を示したが、凹部２０の全体を切り欠き穴に形成し、この切り欠き穴の周壁に踵を乗せるようにしても同様の作用効果、すなわち、両足が開くことなく、しかも、スリッパを履いたままでも、履いたスリッパが脱落するおそれがない治療椅子を提供することができる。
【００１５】
また、以上には、単一の凹部又は切り欠き穴（貫通穴）２１を設け、該単一の凹部又は切り欠き穴に両足（踵）を入れる例について説明したが、近接した位置に、それぞれの踵（右踵、左踵）が入る凹部又は切り欠き穴を設けるようにしてもよいことは容易に理解されよう。また、凹部又は切り欠き穴の形状も、図示の円形のものに限定されることなく、長方形、楕円形等、所望の形状にデザインしてもよいことも容易に理解されよう。
【図面の簡単な説明】
【００１６】
【図１】本発明による治療椅子の一実施例を説明するための構成図である。
【図２】本発明による治療椅子の他の実施例を説明するための構成図である。
【図３】本発明による治療椅子の他の実施例を説明するための要部構成図である。
【図４】本発明が適用される歯科治療椅子の一例を説明するための構成図である。
【図５】従来の歯科治療椅子にて歯科治療を受ける時の患者の状態を説明するための図である。
【符号の説明】
【００１７】
１…治療椅子、１１…安頭台、１２…バックレスト、１３…コンターシート、１４…レッグレスト部、１５…フットレスト部、２０…凹部、２１…切り欠き穴（貫通穴）、３０…スリッパ、３１…スリッパ後部。
【図１】
2005237530.tif 000003
【図２】
2005237530.tif 000004
【図３】
2005237530.tif 000005
【図４】
2005237530.tif 000006
【図５】
2005237530.tif 000007